(57)【特許請求の範囲】
【請求項１】
コンクリート構造物の周壁に設けた孔に捜通し、該周壁に固定された地下埋設管の管口周辺からの漏水を止水する管口止水工法であって、
前記管口周囲を壁面から少なくとも３センチメートル程度斫って、前記漏水を止水する止水域を特定する第１工程と、
コイルばねの両端を結合して形成され、内径が前記地下埋設管外径よりも小さいリングと、該リングに連結されて該リング内部に侵入した水が導通する複数のホースとを有する止水用リングを前記止水域の奥部に存在する前記地下埋設管の外周面に被嵌し、前記止水域に流入する水を外部に排水すると共に、該止水域に止水セメントを充填する第２工程と、
前記ホースの一つから所定の薬液を注入し、他方から流出するまで注入を継続する第３工程と、を含むことを特徴とする管口止水工法。
【請求項２】
前記第２工程は、前記止水用リングが隠れる程度に前記止水セメントを充填しても前記漏水が止まらないときには、更に、別の該止水用リングを被嵌して残余の止水域に該止水セメントを充填する工程を含むことを特徴とする請求項１記載の管口止水工法。
【請求項３】
前記第３工程は、前記別の前記止水用リングにおける前記ホースの一つから所定の薬液を注入し、他方から該薬液が流出するまで継続する工程を含むことを特徴とする請求項２記載の管口止水工法。
【請求項４】
前記第３工程は、前記ホースの他方からも前記薬液を注入し、注入した薬液が硬化した後に、前記壁面から突出した該ホースを切断する工程を含むことを特徴とする請求項１又は３記載の管口止水工法。
【請求項５】
コイルばねの両端を結合して形成され、内径がコンクリート構造物の周壁に固定された地下埋設管の外径よりも小さいリングと、該リングに連結され、該コイルばねの隙間から該リング内部の空洞に侵入した水が導通する複数のホースとを有し、
該地下埋設管の管口周囲を壁面から少なくとも３センチメートル程度斫って特定された止水域の奥部に存在する該地下埋設管の外周面に該リングを被篏して圧接し、該止水域に流出する地下水を該ホースで外部に排水し、かつ止水セメントを該止水域に充填し、絞り込んだ地下水の流通ルートに該ホースから薬液を注入して止水することを特徴とする止水用リング。
【請求項６】
前記リングは、所定の外径を有する長尺の引張コイルばねの両端を溶接若しくは接着して形成され、該リングの少なくとも２か所に、外径が該引張コイルばねの外径以下の短尺の圧縮コイルばねを該引張コイルばねに係止させて、前記ホースを被嵌させる連結部が設置されたことを特徴とする請求項５記載の止水用リング。
【請求項７】
請求項５記載の止水用リングと、前記ホースに嵌入するノズルを有し、所定の薬液が充填されたカートリッジとを備えたことを特徴とする管口止水具セット。
【発明の詳細な説明】
【技術分野】
【０００１】
本発明は、マンホール、排水桝その他のコンクリート構造物の周壁に配置される地下埋設管の管口周囲からの漏水を止水する管口止水工法及びその止水工法に用いる止水用リング、並びにそれに薬液カートリッジを加えた管口止水具セットに関するものである。
【背景技術】
【０００２】
地下埋設された上下水道管路や電力ケーブル及び通信ケーブル用管路の分岐個所や引き込み個所等には、マンホールや枡等のコンクリート構造物が設置され、それらのコンクリート構造物と管との接続はモルタルが用いられている。
しかしながら、地震や不等沈下などの地盤変動、あるいは激しい交通量にさらされる上、長期に亘る使用により管や接続部にひび割れや破損により濾水が生じ勝ちである。特に、下水道管と構造物との接続部においては、処理不要な、生活排水以外の地下水までが処理場に送られるので処理コストがかさんでしまうという問題がある。
そこで、マンホール内周壁部と剛性管の内周部に遮蔽部材を配置し、内周壁部を覆う個所に加圧調整部材を配置して押圧固定部材で覆い、固定部材で固定した後、遮蔽部材と剛性管の内周部との間に凝固剤を注入する止水工法が提案されている（特許文献１参照）。
【０００３】
また、地振動によりコンクリートにひび割れが生じたり、破損した場合は、下水の流下機能を維持することができなくなるので、ゴムや軟質プラスチック等を主体に 作られた可とう継手で接続し、耐震性を持たせる工法が提案されている（特許文献２参照）。 
一方、地下水の水位が高く、地下水が既設管外側の地盤にも存在する場合に、マンホールの開口周辺に注入孔を設け、そこから止水剤を注入する方法が考えられるが、他企業の埋設管を総称する恐れがある。
そこで、マンホールの内側から既設管の外周部分（既設管から１５０ｍｍ以上の位置）に、マンホールの外側に通じる注入孔を穿孔機で形成し、止水剤を注入して既設管周囲で固化させて地下水を止水する。そして、切削装置で管接続部の外側の地盤を掘削し、そこにゴム材からなる止水部材を充填して管接続部を改修する方法が提案されている（特許文献３参照）。
【先行技術文献】
【特許文献】
【０００４】
【特許文献１】特許第５９７２２３９号公報
【特許文献２】特開２００１−２６９３７号公報
【特許文献３】特許第６８１２０５号公報
【発明の概要】
【発明が解決しようとする課題】
【０００５】
しかしながら、特許文献１記載の方法では、管口径が異なる場合には、様々なサイズの部材を用意する必要があり、実用的ではない。また、特許文献２記載の方法を既設管に適用するには、大掛かりな掘削作業を伴うので工期やコストがかかり過ぎる。さらに、特許文献３記載の方法は、掘削装置が入らない小さなマンホールや排水桝などには適用できない。
本発明は、かかる事情に鑑み、コンクリートの壁と剛性管との結合の弱さを補強し、簡便かつ短時間で管口周囲からの漏水を止水することができる管口止水工法並びにその工法を行うにあたって必要となる止水用リング及び止水具セットを提供することを目的とする。
【課題を解決するための手段】
【０００６】
本発明の管口止水工法は、コンクリート構造物の周壁に設けた孔に捜通し、該周壁に固定された地下埋設管の管口周辺からの漏水を止水する管口止水工法であって、
上記管口周囲を壁面から少なくとも３センチメートル程度斫って、上記漏水を止水する止水域を特定する第１工程と、コイルばねの両端を結合して形成され、内径が上記地下埋設管外径よりも小さいリングと、該リングに連結されて該リング内部に侵入した水が導通する複数のホースとを有する止水用リングを上記止水域の奥部に存在する上記地下埋設管の外周面に被嵌し、上記止水域に流入する水を外部に排水すると共に、該止水域に止水セメントを充填する第２工程と、上記ホースの一つから所定の薬液を注入し、他方から流出するまで注入を継続する第３工程と、を含むことを特徴とする。
このように、管口周囲を壁面から少なくとも３センチメートル程度斫って、止水域とし、コイルばねで形成されたリングにホースを連結した止水用リングを地下埋設管に被嵌し、止水域に流入する水をホースで外部に排水する方法を用いれば、その止水域に止水セメントを確実に充填することができる。また、そのように止水セメントを充填したうえで、ホースから薬液を注入すれば、止水用リングの内部や止水域の漏水箇所などの空隙のある個所に薬液が広範囲に、確実に注入されるので長期に亘り漏水を止水することができる。
ここで、上記第２工程は、上記止水用リングが隠れる程度に上記止水セメントを充填しても上記漏水が止まらないときには、更に、別の該止水用リングを被嵌して残余の止水域に該止水セメントを充填する工程を含むことができる。
また、上記第３工程は、上記別の上記止水用リングにおける上記ホースの一つから所定の薬液を注入し、他方から該薬液が流出するまで継続する工程を含むことも、上記ホースの他方からも上記薬液を注入し、注入した薬液が硬化した後に、上記壁面から突出した該ホースを切断する工程を含むことも好ましい。
【０００７】
本発明の止水用リングは、コイルばねの両端を結合して形成され、内径がコンクリート構造物の周壁に固定された地下埋設管の外径よりも小さいリングと、該リングに連結され、該コイルばねの隙間から該リング内部の空洞に侵入した水が導通する複数のホースとを有し、該地下埋設管の管口周囲を壁面から少なくとも３センチメートル程度斫って特定された止水域の奥部に存在する該地下埋設管の外周面に該リングを被篏して圧接し、該止水域に流出する地下水を該ホースで外部に排水し、かつ止水セメントを該止水域に充填し、絞り込んだ地下水の流通ルートに該ホースから薬液を注入して止水することを特徴とする。
そして、上記リングは、所定の外径を有する長尺の引張コイルばねの両端を溶接若しくは接着して形成され、該リングの少なくとも２か所に、外径が該引張コイルばねの外径以下の短尺の圧縮コイルばねを該引張コイルばねに係止させて、上記ホースを被嵌させる連結部が設置されたことが好ましい。
このようにすれば、管口止水工法に用いる止水用リングを低コストで簡単に作成することができる。
本発明の管口止水具セットは、上記止水用リングと、上記ホースに嵌入するノズルを有し、所定の薬液が充填されたカートリッジとを備えたことを特徴とする。
【発明の効果】
【０００８】
本発明の管口止水工法及びその工法に用いる止水用リングによれば、地下埋設管の管口周りにおける漏水の止水工事を、熟練者でなくても簡単に施工することができるうえ、止水用リング内はもとより、ひび割れ等によって漏水している個所に至るまでの広範囲な部分にゴム状の薬材が浸透するので、確実に止水できるうえ、止水効果を長期間にわたり持続させることができる。
【図面の簡単な説明】
【０００９】
【図１】図１は、マンホールを一例として示す図である。
【図２】図２は、本実施形態の止水工法に用いる本実施形態の止水用リングの一例を示す図である。
【図３】図３は、止水域を特定する第１工程の一例を示す図である。
【図４】図４は、第２工程のうち、止水用リングを地下埋設管に被嵌する工程の一例を示す図である。
【図５】図５は、第２工程のうち、止水用リングが設置された止水域に止水セメントを充填する工程の一例を示す図である。
【図６】図６は、地下水勢いが激しいので止水セメントを充填している最中に、その周囲から漏水してしまう場合の補強工程の一例を示す図である。
【図７】図７は、止水域に薬液を注入する第３工程の一例を示す側断面図である。
【発明を実施するための形態】
【００１０】
以下に、本発明の管口止水工法及び止水用リングの実施形態について図に基いて説明する。
図１は、マンホールを一例として示す図であり、図１（a）は、周壁の側断面面図、図１(b)は、正面図である。
図１に示すように、マンホール１の周壁２には地下埋設管３を捜通する孔４があり、そこに捜通された地下埋設管３は、管口５周囲にモルタル７が詰められ、固定されている。
しかしながら、地盤変動によって地下埋設管３と周壁２とは異なる動き方をすること、それぞれの材質が異なるので親和性が低いことから、周壁２、特に地下埋設管３周囲にはひび割れや隙間が生じ易く、そのひび割れ個所から地下水が侵入し、管口５周囲から漏水６する。
ここでは、コンクリ―ト構造物がマンホール１で、その周壁２に接続された地下埋設管３の管口５から漏水する例を示したが、コンクリ―ト構造物は、公道に設置されたマンホール１に限定する必要はなく、私有地に設置された排水桝などであってもよいし、ビルの地階の壁面であっても同様に適用できる。
【００１１】
図２は、本実施形態の止水工法に用いる本実施形態の止水用リングの一例を示す図である。
図２に示す止水用リング２０は、所定の外径を有する長尺の引張コイルばね１１の両端を溶接１６してリング１３を形成し、そのリング１３の周囲２か所に、引張コイルばね１１の外径以下の外径を有する短尺の圧縮コイルばね１２をからませて係止した連結部１５を設け、その連結部１５にはホース１４が被嵌されている。
なお、引張コイルばね１１の線と線の隙間に較べると、圧縮コイルばね１２の線と線の隙間は大きいので、圧縮コイルばね１２の先端を引張コイルばね１１の複数の線に絡めて回転させることにより係止することができる。
ここでは、引張コイルばね１１の両端は、溶接１６によって結合されているが、接着剤で接着して接合してもよい。
リング１３の内径は、地下埋設管３の外径よりも少し小さくしてあるので、拡開して管口５から地下埋設管３に被嵌すれば、リング１３が地下埋設管３の外周にぴったりと圧接される。
引張コイルばね１１にからませて係止している連結部１５は、引張コイルばね１１で形成されたリング１３と導通しているので、管口５周囲のひび割れや隙間８から止水域９に流れ込んだ地下水は、リング１３内部に侵入し、連結部１５を通ってホース１４へと導かれて外部に排水される。
ここで示す止水用リング２０は、外径が１２ｍｍから３０ｍｍ程度の引張コイルばね１１で形成され、連結部１５は、外径１２ｍｍ程度の圧縮コイルばね１２で形成されている。
連結部１５は、リング１３から１５ｍｍ程度突出しており、内径１２ｍｍ程度のホースがその突出部分に被嵌されている。そして、リング１３の内径が１００ｍｍから２００ｍｍ程度の止水用リング２０には、リング１３の２か所に、リング１３の内径が４５０ｍｍから６００ｍｍ程度の止水用リング２０には、リング１３の４か所に、リング１３の内径が１００ｍｍから２００ｍｍ程度の止水用リング２０には、リング１３の２か所にそれぞれ、連結部１５が設けてある。
但し、ここで示した数値は一例であって、必ずしもこれらの数値に限定する必要はない。
【００１２】
図３から図６は、本実施形態の管口止水工法の施工手順を一例として示す図である。
図３は、止水域を特定する第１工程の一例を示す図であり、図３(a)は、マンホール周壁の側断面図、図３(ｂ)は、マンホール周壁の正面図である。
図３に示すように、マンホール１の周壁２には、地下埋設管３を捜通する孔４があり、その孔４に捜通された地下埋設管３の周囲にはモルタル７が詰められ、周壁２に固定している。従って、管口５周囲のモルタル７を壁面から少なくとも３センチメートル程度の深さまで、ピックハンマー等を用いて斫り、漏水を止水する止水域９を特定する。
管口５周囲のひび割れや隙間８から侵入した地下水は、止水域９に流出している。
ここでは、壁面から４ｃｍの深さまで斫ってあるが、斫る深さは３ｃｍから５ｃｍにすることが好ましい。
【００１３】
図４は、第２工程のうち、止水用リングを地下埋設管に被嵌する工程の一例を示す図であり、図４(a)は、マンホール周壁の側断面図、図４(ｂ)は、マンホール周壁の正面図である。
図４に示すように、地下埋設管３の管口５から４ｃｍの深さまで斫って形成された止水域９のできるだけ奥に、リング１３を拡開して管口５に被嵌させた止水用リング２０を配置する。
止水用リング２０は、リング１３の外径が、管口５の外径にほぼ等しいので、拡開して被嵌させたときに、地下埋設管３の外周面に圧接される。そして、連結部１５に被嵌させた２つのホース１４の端は、管口５の外側で、マンホール１内にある。従って、止水域９に流出する地下水は、リング１３の内部に侵入して流通し、導通している連結部１５に導かれてホース１４からマンホール１内に排水される。
【００１４】
図５は、第２工程のうち、止水用リングが設置された止水域に止水セメントを充填する工程の一例を示す図であり、図５(a)は、マンホール周壁の側断面図、図５(ｂ)は、マンホール周壁の正面図である。
図４に示すように、止水域９に流出した地下水の大部分は、止水用リング２０によって排水されるので、止水用リング２０の周囲を含む止水域９は、止水セメント２１を充填し、壁面と面一になるまで詰めることができる。
【００１５】
図６は、図５で示す第２工程において、止水域に流出する地下水の勢いが激しくて止水セメントを充填している最中に、その周囲から漏水してしまう場合の補強工程の一例を示す図であり、図６(a)は、マンホール周壁の側断面図、図６(ｂ)は、マンホール周壁の正面図である。
図６に示すように、止水用リング２０が隠れる程度に止水セメント２１を充填しても漏水が止まらないときには、別の止水用リング２０を管口５から地下埋設管３にさらに被嵌して、別のホース１４でも排水する。そして、漏水がほぼ止まった残余の止水域９に止水セメント２１を充填し、壁面と面一になるまで詰める。
【００１６】
図７は、止水域に薬液を注入する第３工程の一例を示す側断面図である。
図７に示すように、地下埋設管３の周囲のモルタル７を壁面からの深さＬが３乃至５ｃｍ程度まで斫って止水域９が特定され、その止水域９に流出する地下水は、地下埋設管３に圧接させて被嵌された止水用リング２０のホース１４から排水される。そして、止水域９の全域に、止水用セメント２１が充填されている。しかし、止水用リング２０の内部は空洞であり、漏水した全ての地下水は、止水用リング２０を形成する引張コイルばね１１の隙間から侵入してホース１４から排水されている。
次に、絞り込んだ地下水の流通ルートに薬液を注入し、そのルートを塞いで漏水を防ぐ。
先ず、止水域９の止水セメント２１が硬化したら、薬液の入ったカートリッジ２２をガン２３に装填し、カートリッジ２２のノズルを、低位の位置にあるホース１４に嵌入し、充填する。そして高位の位置にあるホース１４から薬液があふれ出るまで充填を継続する。
そして、低位の位置にあるホース１４からの薬液注入が終了したら、念のために、高位の位置にあるホース１４からも薬液注入をすることが好ましい。
薬液が硬化したら、壁面から突き出しているホース１４を切断する。
ここで、薬液としては、水ガラス系、ウレタン系、尿素系、アクリルアミド系などがあるが、作業性の観点から、専用のガン２３で注入できるカートリッジタイプのものが好ましく、かつ水に反応して発泡後ゴム状弾性ゲル化する親水性ポリウレタンカートリッジ
２２が好適である。
ここでは、止水用リング２０を一つ設置した場合を示しているが、止水用リング２０を二つ設置する場合もそれと同様に行えばよいので、図は省略する。
【産業上の利用可能性】
【００１７】
下水道管のみならず、上水道管、通信ケーブルや電力ケーブルの管路の管口周囲の壁面からの漏水を止水する場合にも適用することができる。
【符号の説明】
【００１８】
１    マンホール
２    周壁
３    地下埋設管
４    孔
５    管口
６    漏水
７    モルタル
８    ひび割れや隙間
９    止水域
１１  引張コイルばね
１２  圧縮コイルばね
１３  リング
１４  ホース
１５  連結部
１６  溶接
２０  止水用リング
２１  止水セメント
２２  カートリッジ
２３  ガン
【要約】
【課題】コンクリートの壁と剛性管との結合の弱さを補強し、簡便かつ短時間で管口周囲からの漏水を止水することができる管口止水工法並びにその工法を行うにあたって必要となる止水用リングを提供することを目的とする。
【解決手段】管口周囲を壁面から少なくとも３センチメートル程度斫って、前記漏水を止水する止水域を特定する第１工程と、コイルばねの両端を結合して形成され、内径が地下埋設管外径よりも小さいリングと、該リングに連結されて該リング内部に侵入した水が導通する複数のホースとを有する止水用リングを前記地下埋設管に被嵌し、前記止水域に流入する水を外部に排水すると共に、該止水域に止水セメンとを充填する第２工程と、ホースの一つから所定の薬液を注入し、他方から流出するまで注入を継続する第３工程と、を含むことを特徴とする。
【選択図】図７【図１】
0006901814.tif 000002
【図２】
0006901814.tif 000003
【図３】
0006901814.tif 000004
【図４】
0006901814.tif 000005
【図５】
0006901814.tif 000006
【図６】
0006901814.tif 000007
【図７】
0006901814.tif 000008